(57)【要約】【課題】光源からの光の利用効率を高めるとともに、視域を制御でき、かつ明るく照明することが可能なバックライトユニットを提供すること。【解決手段】本発明のバックライトユニット１０は、光源１と、導光板２と、照明光抽出部材７とを備えてなる。導光板２は、光源１からの光を導光する導光路８と、導光路８に配置され、導光路８によって導光された光Ｈを回折させ、光射出面９を介して導光路８の外側へと射出させる回折格子６とを備えている。照明光抽出部材７は、導光板２から射出した光のうち、光射出面９に対する射出角度が予め定めた範囲内の光成分のみを照明光として取り出す一方、この取り出した光成分以外の光成分を導光板２側に戻す。【選択図】      図１
2006147293.tif 000002
【特許請求の範囲】
【請求項１】
光源と、
前記光源からの光を導光する導光路と、前記導光路に配置され、前記導光路によって導光された光を回折させ、光射出面を介して前記導光路の外側へと射出させる回折格子とを備えた導光板と、
前記導光板から射出した光のうち、前記光射出面に対する射出角度が予め定めた範囲内の光成分のみを照明光として取り出す一方、前記光成分以外の光成分を前記導光板側に戻すようにした照明光抽出部材と
を備えたバックライトユニット。
【請求項２】
請求項１に記載のバックライトユニットにおいて、
一定ピッチで互いに平行になるように１次元配置された複数の光通過阻止部材を備えたルーバを前記照明光抽出部材として用い、前記各光通過阻止部材が、前記光射出面に対して所定角度になるように前記ルーバを配置することによって、前記導光板から射出した光のうち、前記光射出面に対する射出角度が予め定めた範囲内の光成分のみを前記各光通過阻止部材によって通過阻止されないようにして前記照明光として取り出す一方、前記取り出した光成分以外の光成分を、前記各光通過阻止部材において反射させることによって前記導光板側に戻すようにしたバックライトユニット。
【請求項３】
請求項１に記載のバックライトユニットにおいて、
表面に複数のレンズが規則的に１次元配置され、裏面に前記各レンズにそれぞれ対応して設けられた開口部を備えたレンチキュラーフィルムを前記照明光抽出部材として用い、前記裏面と前記光射出面とを対向させるように配置するとともに、前記光射出面に対する射出角度が予め定めた範囲内の光成分のみが前記レンズに入射するような、前記開口部の大きさと、対応するレンズに対する相対位置とすることにより、前記導光板から射出した光のうち、前記光射出面に対する射出角度が予め定めた範囲内の光成分のみを前記レンズを介して前記照明光として取り出す一方、この光成分以外の光成分を、前記裏面において反射させることによって前記導光板側に戻すようにしたバックライトユニット。
【請求項４】
請求項１に記載のバックライトユニットにおいて、
前記導光板から射出された光のうち、予め定めた角度で入射した光成分のみを拡散する異方性光学フィルムを、前記照明光抽出部材として用いたバックライトユニット。
【請求項５】
光源と、
前記光源からの光を導光する導光路と、前記導光路に配置され、前記導光路によって導光された光を回折させ、光射出面を介して前記導光路の外側へと射出させる回折格子とを備えた導光板と、
前記導光板から射出した光のうち、前記光射出面上の任意方向に対する射出角度が予め定めた範囲内にある光成分のみを抽出する一方、前記射出した光成分以外の光成分を前記導光板側に戻すようにした第１の照明光抽出部材と、
前記第１の照明光抽出部材によって抽出された光成分のうち、前記光射出面上の前記任意方向に直交する方向に対する射出角度が予め定めた範囲内にある光成分のみを抽出する一方、この光成分以外の光成分を前記導光板側に戻すようにした第２の照明光抽出部材と
を備えたバックライトユニット。
【請求項６】
請求項５に記載のバックライトユニットにおいて、
一定ピッチで互いに平行になるように１次元配置された複数の光通過阻止部材を備え、前記各光通過阻止部材が、前記光射出面に対して所定角度になるように配置することによって、前記導光板から射出した光のうち、前記光射出面に対する射出角度が予め定めた範囲内の光成分のみを前記各光通過阻止部材によって通過阻止されないようにして前記照明光として取り出す一方、前記取り出した光成分以外の光成分を、前記各光通過阻止部材において反射させることによって前記導光板側に戻すようにしたルーバと、
表面に複数のレンズが規則的に１次元配置され、裏面に前記各レンズにそれぞれ対応して設けられた開口部を備え、前記裏面と前記光射出面とを対向させるように配置するとともに、前記光射出面に対する射出角度が予め定めた範囲内の光成分のみが前記レンズに入射するような、前記開口部の大きさと、対応するレンズに対する相対位置とすることにより、前記導光板から射出した光のうち、前記光射出面に対する射出角度が予め定めた範囲内の光成分のみを前記レンズを介して前記照明光として取り出す一方、この光成分以外の光成分を、前記裏面において反射させることによって前記導光板側に戻すようにしたレンチキュラーフィルムと、
前記導光板から射出された光のうち、予め定めた角度で入射した光成分のみを拡散する異方性光学フィルムと
のうちの何れかを前記第１または前記第２の照明光抽出部材として用いたバックライトユニット。
【発明の詳細な説明】
【技術分野】
【０００１】
本発明は、例えば電子機器のディスプレイを照明するためのバックライトユニットに係り、更に詳しくは、光源からの光の利用効率を高めるとともに、視域を制御でき、かつ明るく照明することができるバックライトユニットに関するものである。
【背景技術】
【０００２】
液晶表示装置は、軽量かつ小型である効率的な表示装置であることから、主要な表示技術となっている。この応用は、パソコンや、テレビセットにおいて見られる。液晶表示装置は、マトリクスに配置された複数のピクセルからなっており、各ピクセルは、制御信号に応答して光が表示装置を通過することを可能にする光バルブを備えている。表示装置を見ることができるようにするために、表示装置の裏側に設けられた光源が使用される。
【０００３】
液晶表示装置のバックライトユニットとしては、平面状の導光板の利用が採用されている。例えば、図９は、液晶表示装置に使用されているバックライトユニットの一般構成を示す側面図である。
【０００４】
バックライトユニット２０は、上述した光源１と、導光板２に加えて、拡散フィルム３と、プリズムシート５を備え、液晶表示装置４に照明光を供給する。拡散フィルム３は、液晶表示装置４の表面における光強度を一定にするために光を拡散するために、またプリズムシート５は、液晶表示装置４の正面方向の光強度を高めるために用いられている。
【０００５】
最近、斬新な構成の導光板が提案されるようになってきた。それは、導光板２から液晶表示装置４へと光をリダイレクトするために屈折要素を使うのではなく、図１０に示すように、回折格子６を使うものである（例えば、特許文献１参照）。
【０００６】
回折格子６によって、導光板２から射出される光をより制御できるようになり、バックライトユニット２１を構成する要素の数を減らすことが可能となった。例えば、導光板２からの射出光は、図１０中に示すｚ方向に一致する法線方向に沿って、または法線方向に近い方向で射出されるので、プリズムシート５は不要となる。なお、図１０中に示すｙ方向は、導光板２の光射出面９に平行な方向である。
【特許文献１】特開２００４−３１９２５１号公報
【発明の開示】
【発明が解決しようとする課題】
【０００７】
しかしながら、このような構成によって、正面方向の光強度は高められるものの、導光板２からの射出光の制御は未だ不十分である。波長に依存する回折は、視野角範囲における白色表示の達成を阻害する。そして、もしも様々な格子周波数が使用された場合には、光は、より広がって射出される。したがって、回折格子６のみによる制御は完全ではなく、導光性能に悪影響を及ぼすことのない光学シートを備える必要があるという問題がある。
【０００８】
本発明はこのような事情に鑑みてなされたものであり、光源からの光の利用効率を高めるとともに、視域を制御でき、かつ明るく照明することが可能なバックライトユニットを提供することを目的とする。
【課題を解決するための手段】
【０００９】
上記の目的を達成するために、本発明では、以下のような手段を講じる。
【００１０】
すなわち、請求項１の発明のバックライトユニットは、光源と、光源からの光を導光する導光路と、導光路に配置され、導光路によって導光された光を回折させ、光射出面を介して前記導光路の外側へと射出させる回折格子とを備えた導光板を備えている。また、導光板から射出した光のうち、光射出面に対する射出角度が予め定めた範囲内の光成分のみを照明光として取り出す一方、取り出された光成分以外の光成分を導光板側に戻すようにした照明光抽出部材を備えている。
【００１１】
従って、請求項１の発明のバックライトユニットにおいては、以上のような手段を講じることにより、光射出面に対する射出角度が予め定めた範囲内の光成分のみを照明光として取り出すことが出来るので、視域を制御することができる。また、取り出された光成分以外の光成分を導光板側に戻すことによって、光源からの光を無駄なく利用することができるので、光源からの光の利用効率を高め、明るく照明することが可能となる。
【００１２】
また、請求項２の発明は、請求項１に記載のバックライトユニットにおいて、一定ピッチで互いに平行になるように１次元配置された複数の光通過阻止部材を備えたルーバを照明光抽出部材として用いる。そして、各光通過阻止部材が、光射出面に対して所定角度になるようにルーバを配置することによって、導光板から射出した光のうち、光射出面に対する射出角度が予め定めた範囲内の光成分のみを各光通過阻止部材によって通過阻止されないようにして照明光として取り出す一方、取り出された光成分以外の光成分を、各光通過阻止部材において反射させることによって導光板側に戻すようにする。
【００１３】
従って、請求項２の発明のバックライトユニットにおいては、以上のように、照明光抽出部材としてルーバを使用することによって、請求項１の発明で得られる作用効果を奏することができる。
【００１４】
更に、請求項３の発明は、請求項１に記載のバックライトユニットにおいて、表面に複数のレンズが規則的に１次元配置され、裏面に各レンズにそれぞれ対応して設けられた開口部を備えたレンチキュラーフィルムを照明光抽出部材として用い、裏面と光射出面とを対向させるように配置する。更に、光射出面に対する射出角度が予め定めた範囲内の光成分のみがレンズに入射するような、開口部の大きさと、対応するレンズに対する相対位置とすることにより、導光板から射出した光のうち、光射出面に対する射出角度が予め定めた範囲内の光成分のみをレンズを介して照明光として取り出す一方、この光成分以外の光成分を、裏面において反射させることによって導光板側に戻すようにしている。
【００１５】
従って、請求項３の発明のバックライトユニットにおいては、以上のように、照明光抽出部材としてレンチキュラーフィルムを使用することによって、請求項１の発明で得られる作用効果を奏することができる。
【００１６】
更にまた、請求項４の発明は、請求項１に記載のバックライトユニットにおいて、導光板から射出された光のうち、予め定めた角度で入射した光成分のみを拡散する異方性光学フィルムを、照明光抽出部材として用いている。
【００１７】
従って、請求項４の発明のバックライトユニットにおいては、以上のように、照明光抽出部材として異方性光学フィルムを使用することによって、光射出面に対する射出角度が予め定めた範囲内の光成分のみを照明光として取り出すことが出来るので、視域を制御することができる。
【００１８】
請求項５の発明は、光源と、導光板と、第１の照明光抽出部材と、第２の照明光抽出部材とを備えている。導光板は、光源からの光を導光する導光路と、導光路に配置され、導光路によって導光された光を回折させ、光射出面を介して導光路の外側へと射出させる回折格子とを備えている。第１の照明光抽出部材は、導光板から射出した光のうち、光射出面上の任意方向に対する射出角度が予め定めた範囲内にある光成分のみを抽出する一方、抽出した光成分以外の光成分を導光板側に戻す。第２の照明光抽出部材は、第１の照明光抽出部材によって抽出された光成分のうち、光射出面上の前記任意方向に直交する方向に対する射出角度が予め定めた範囲内にある光成分のみを抽出する一方、この抽出した光成分以外の光成分を導光板側に戻す。
【００１９】
従って、請求項５の発明のバックライトユニットにおいては、以上のように、照明光抽出部材を２段設けることによって、第１段目の照明光抽出部材で視域を例えばｙ方向に制御した後に、第２段目の照明光抽出部材で視域を更にｘ方向に制御することができるので、視域をより厳密に制御することが可能となる。
【００２０】
請求項６の発明は、請求項５に記載のバックライトユニットにおいて、ルーバと、レンチキュラーフィルムと、異方性光学フィルムとのうちの何れかを第１または第２の照明光抽出部材として用いる。ルーバは、一定ピッチで互いに平行になるように１次元配置された複数の光通過阻止部材を備え、各光通過阻止部材が、光射出面に対して所定角度になるように配置することによって、導光板から射出した光のうち、光射出面に対する射出角度が予め定めた範囲内の光成分のみを各光通過阻止部材によって通過阻止されないようにして照明光として取り出す一方、取り出した光成分以外の光成分を、各光通過阻止部材において反射させることによって導光板側に戻す。レンチキュラーフィルムは、表面に複数のレンズが規則的に１次元配置され、裏面に前記各レンズにそれぞれ対応して設けられた開口部を備え、裏面と光射出面とを対向させるように配置するとともに、光射出面に対する射出角度が予め定めた範囲内の光成分のみがレンズに入射するような、開口部の大きさと、対応するレンズに対する相対位置とすることにより、導光板から射出した光のうち、光射出面に対する射出角度が予め定めた範囲内の光成分のみをレンズを介して照明光として取り出す一方、この光成分以外の光成分を、裏面において反射させることによって導光板側に戻す。異方性光学フィルムは、導光板から射出された光のうち、予め定めた角度で入射した光成分のみを拡散する。
【００２１】
従って、請求項６の発明のバックライトユニットにおいては、以上のような手段を講じることにより、ルーバ、レンチキュラーフィルム、及び異方性光学フィルムのうちの任意の２つを用いて、第１段目の照明光抽出部材および第２段目の照明光抽出部材を構成することによって、視域をより厳密に制御することが可能となる。
【発明の効果】
【００２２】
本発明によれば、光源からの光の利用効率を高めるとともに、視域を制御でき、かつ明るく照明することが可能なバックライトユニットを実現することができる。
【発明を実施するための最良の形態】
【００２３】
以下に、本発明を実施するための最良の形態について図面を参照しながら説明する。
【００２４】
なお、以下の各実施の形態の説明に用いる図中の符号は、図９及び図１０と同一部分については同一符号を付して示すことにする。
【００２５】
（第１の実施の形態）
図１は、第１の実施の形態に係るバックライトユニットの構成概念例を示す側面図である。
【００２６】
すなわち、本実施の形態に係るバックライトユニット１０は、光源１と、導光板２と、ルーバ７とを備えてなる。
【００２７】
導光板２は、光源１からの光を導光する導光路８と、導光路８に配置され、導光路８によって導光された光Ｈを回折させ、光射出面９を介して導光路８の外側へと射出させる回折格子６とを備えている。
【００２８】
また、ルーバ７は、導光板２から射出した光のうち、予め定めた角度Ω１内に絞られた光成分のみを照明光として取り出す一方、取り出された光成分以外の光成分を導光板２側に戻すための照明光抽出部材として用いられている。図２は、このようなルーバ７の詳細な構成を説明するための要部拡大図である。
【００２９】
すなわちルーバ７は、厚みがｔ１であり、一定ピッチｄ１で互いに平行になるように１次元配置された複数の光通過阻止部材１１を備えている。更に各光通過阻止部材１１は、光射出面に対して傾斜角度β１で配置されている。角度Ω１は、厚みｔ１、ピッチｄ１、及び傾斜角度β１を調整することにより調整可能としている。
【００３０】
このような構成とすることによって、導光板２から射出した光のうち、予め定めた角度Ω１内に絞られた光成分のみを照明光として図示しない液晶表示装置４に供給する一方、それ以外の光成分については、各光通過阻止部材１１において反射させることによって導光板２側に戻す。
【００３１】
このようにして導光板２に戻された光は、光源１から導出された光Ｈと同様に、導光路８に沿って導光されるうちに、回折格子６によって回折され、いずれはまた同様に光射出面９から射出されるようにしている。
【００３２】
次に、以上のように構成した本実施の形態に係るバックライトユニット１０の作用について説明する。
【００３３】
すなわち、本実施の形態に係るバックライトユニット１０では、回折格子６によって光射出面９から射出された光のうち、予め定めた角度Ω１内に絞られた光成分のみがルーバ７に一次元配置された光通過阻止部材１１の間を通り抜けることができ、照明光として液晶表示装置４に供給される。
【００３４】
一方、それ以外の光成分については、各光通過阻止部材１１の間を通り抜けることが出来ずに、いずれかの光通過阻止部材１１において反射し、光射出面９を介して、再び導光板２内に戻される。
【００３５】
このようにして導光板２に戻された光は、光源１から導出された光Ｈと同様に、導光路８に沿って導光されるうちに、回折格子６によって回折され、いずれはまた同様に光射出面９から射出される。
【００３６】
上述したように、本実施の形態に係るバックライトユニット１０においては、上記のような作用により、予め定めた角度Ω１内に絞られた光成分のみを照明光として取り出すことが出来るので、視域を制御することが可能となる。
【００３７】
また、それ以外の光成分を導光板２側に戻し、再利用することができるので、光源１からの光を無駄なく利用することができ、もって、光源１からの光の利用効率を高め、より明るく照明することも可能となる。
【００３８】
（第２の実施の形態）
図３は、第２の実施の形態に係るバックライトユニットの構成概念例を示す側面図である。
【００３９】
すなわち、本実施の形態に係るバックライトユニット１２は、第１の実施の形態に係るバックライトユニット１０の変形例であって、ルーバ７の代わりに、レンチキュラーフィルム１３を適用した点のみが異なる。したがって、ここでは、異なる点のみについて説明し、重複説明を避ける。
【００４０】
図４は、レンチキュラーフィルム１３の詳細構成を説明するための要部拡大図である。すなわち、レンチキュラーフィルム１３は、表面に複数のレンズ１４が一定のピッチｄ２で規則的に１次元配置され、裏面に各レンズ１４にそれぞれ対応して設けられた開口部１５を備えている。図中に示す１６は、開口部１５を形成している遮光部１６である。
【００４１】
本実施の形態に係るバックライトユニット１２では、図３に示すように、このようなレンチキュラーフィルム１３の開口部１５が備えられた側である裏面と、光射出面９とを対向させるように配置している。
【００４２】
また、予め定めた角度Ω２内に絞られた光成分のみが対応するレンズ１４に入射するように、各開口部１５の大きさと、対応するレンズ１４に対する相対位置（つまり、ある開口部１５の中心高さと、対応するレンズ１４の中心高さとを結ぶ方向と、光射出面９の法線方向とのなす角度β２）とを定めている。これにより、導光板２から射出した光のうち、予め定めた角度Ω２に絞られた光成分のみを照明光として図示しない液晶表示装置４に供給する一方、それ以外の光成分については、遮光部１６において反射させることによって導光板２側に戻す。なお、角度Ω２は、各開口部１５の大きさと、対応するレンズ１４に対する相対位置との他に、レンズ１４のピッチｄ２、及びレンチキュラーフィルム１３の厚みｔ２を調整することによっても調整可能である。
【００４３】
このようにして導光板２に戻された光は、光源１から導出された光Ｈと同様に、導光路８に沿って導光されるうちに、回折格子６によって回折され、いずれはまた同様に光射出面９から射出されるようにしている。
【００４４】
以上のように構成することによっても、予め定めた角度内に絞られた光成分のみを照明光として取り出すことが出来るので、視域を制御することが可能となる。
【００４５】
また、それ以外の光成分を導光板２側に戻し、再利用することができるので、光源１からの光を無駄なく利用することができ、もって、光源１からの光の利用効率を高め、より明るく照明することも可能となる。
【００４６】
（第３の実施の形態）
図５は、第３の実施の形態に係るバックライトユニットの構成概念例を示す側面図である。
【００４７】
すなわち、本実施の形態に係るバックライトユニットは、第１の実施の形態に係るバックライトユニット１０の変形例であって、ルーバ７の代わりに、異方性光学フィルム１７を適用した点のみが異なる。したがって、ここでは、異なる点のみについて説明し、重複説明を避ける。
【００４８】
図６は、異方性光学フィルム１７の詳細構成を説明するための要部拡大図である。すなわち、異方性光学フィルム１７は、厚みがｔ３であり、ほぼ棒状をなす屈折率の異なる複数の棒状領域１７ａが、それぞれ光射出面９の法線方向に対する傾斜角度β３方向に延びるように分布している。棒状領域１７ａの厚みｄ３はそれぞれランダムである。
【００４９】
このような構成をしてなる異方性光学フィルム１７は公知であり、導光板２から射出された光のうち、傾斜角度β３で入射した光成分のみを、予め定めた角度Ω３以内に拡散する。
【００５０】
以上のように構成することによっても、予め定めた角度内に絞られた光成分のみを照明光として取り出すことが出来るので、視域を制御することが可能となる。
【００５１】
（第４の実施の形態）
図７は、第４の実施の形態に係るバックライトユニット１８の構成概念例を示す側面図、図８は、第４の実施の形態に係るバックライトユニット１８の構成概念を説明するための分解斜視図である。
【００５２】
すなわち、本実施の形態に係るバックライトユニット１８は、図７に示すように、照明光抽出部材１９を２枚（すなわち、照明光抽出部材１９（＃１）と照明光抽出部材１９（＃２））重ねて配置している。そして、第１段目の照明光抽出部材１９（＃１）において、図中ｙ方向における視域を制御し、第２段目の照明光抽出部材１９（＃２）において、図中ｘ方向における視域を制御する。これによって、視域をより厳密に制御するようにしている。
【００５３】
照明光抽出部材１９（＃１）としては、第１の実施の形態で説明したルーバ７、第２の実施の形態で説明したレンチキュラーフィルム１３、及び第３の実施の形態で説明した異方性光学フィルム１７のうちの何れかを用いる。同様に、照明光抽出部材１９（＃２）としても、第１の実施の形態で説明したルーバ７、第２の実施の形態で説明したレンチキュラーフィルム１３、及び第３の実施の形態で説明した異方性光学フィルム１７のうちの何れかを用いる。これらについては、既に説明済みであるので、ここでは重複説明を避ける。
【００５４】
第１の実施の形態で説明したルーバ７、第２の実施の形態で説明したレンチキュラーフィルム１３、及び第３の実施の形態で説明した異方性光学フィルム１７は、本実施の形態に係るバックライトユニット１８の照明光抽出部材１９として適用される場合、照明光抽出部材１９（＃１）、照明光抽出部材１９（＃２）ともに全く同じ仕様のものを、ｘｙ平面において単に９０°違えた状態で配置すればよい。
【００５５】
次に、以上のように構成した本実施の形態に係るバックライトユニット１８の作用について説明する。
【００５６】
すなわち、本実施の形態に係るバックライトユニット１８では、回折格子６によって光射出面９から射出された光のうち、ルーバ７、レンチキュラーフィルム１３、及び異方性光学フィルム１７のうちの何れかが用いられた照明光抽出部材１９（＃１）によって、ｙ方向における予め定めた角度内に絞られた光成分のみが、照明光抽出部材１９（＃２）に供給される。
【００５７】
この照明光抽出部材１９（＃２）もまた、ルーバ７、レンチキュラーフィルム１３、及び異方性光学フィルム１７のうちの何れかが用いられており、照明光抽出部材１９（＃１）に対して直角方向、すなわちｘ方向に対して光学作用方向を持つ。これによって、照明光抽出部材１９（＃１）から供給された光のうち、ｘ方向における予め定めた角度内に絞られた光成分のみが、照明光として液晶表示装置４に供給される。
【００５８】
上述したように、本実施の形態に係るバックライトユニット１８においては、上記のような作用により、第１段目の照明光抽出部材１９（＃１）で視域を例えばｙ方向に制御した後に、第２段目の照明光抽出部材１９（＃２）で視域を更にｘ方向に制御することができるので、視域をより厳密に制御することが可能となる。
【００５９】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００６０】
【図１】第１の実施の形態に係るバックライトユニットの構成概念例を示す側面図。
【図２】ルーバの詳細構成を説明するための要部拡大図。
【図３】第２の実施の形態に係るバックライトユニットの構成概念例を示す側面図。
【図４】レンチキュラーフィルムの詳細構成を説明するための要部拡大図。
【図５】第３の実施の形態に係るバックライトユニットの構成概念例を示す側面図。
【図６】異方性光学フィルムの詳細構成を説明するための要部拡大図。
【図７】第４の実施の形態に係るバックライトユニットの構成概念例を示す側面図。
【図８】第４の実施の形態に係るバックライトユニットの構成概念を説明するための分解斜視図。
【図９】バックライトユニットを用いた液晶表示装置の一般構成を示す側面図。
【図１０】回折格子を備えたバックライトユニットを用いた液晶表示装置の一般構成を示す側面図。
【符号の説明】
【００６１】
１…光源、２…導光板、３…拡散フィルム、４…液晶表示装置、５…プリズムシート、６…回折格子、７…ルーバ、８…導光路、９…光射出面、１０…バックライトユニット、１１…光通過阻止部材、１２…バックライトユニット、１３…レンチキュラーフィルム、１４…レンズ、１５…開口部、１６…遮光部、１７…異方性光学フィルム、１７ａ…棒状領域、１８…バックライトユニット、１９…照明光抽出部材、２０…バックライトユニット、２１…バックライトユニット
【図１】
2006147293.tif 000003
【図２】
2006147293.tif 000004
【図３】
2006147293.tif 000005
【図４】
2006147293.tif 000006
【図５】
2006147293.tif 000007
【図６】
2006147293.tif 000008
【図７】
2006147293.tif 000009
【図８】
2006147293.tif 000010
【図９】
2006147293.tif 000011
【図１０】
2006147293.tif 000012